(57)【要約】      （修正有）【課題】人体各部の筋肉の細部まで凝りをほぐし、ストレッチ効果を向上させることができる押圧具を提供する。【解決手段】一対の球体１０を有し、この一対の球体１０同士は、窪み１０ａが形成されるように一部が重なり合っている。そして、この窪み１０ａの幅は、０．５ｃｍ〜１．５ｃｍであり、球体１０の硬度は、３０Ｎ〜９０Ｎである。これにより、腕Ｕの筋肉の凝りをほぐそうとすると、その筋肉の細部が、窪み１０ａによってほぐされることとなる。これにより、人体各部の筋肉の細部まで凝りをほぐすことができ、もって、ストレッチ効果を向上させることができる。【選択図】図３
0003225744.tif 000002
【実用新案登録請求の範囲】
【請求項１】
少なくとも一対の球体を有し、
前記少なくとも一対の球体同士は、窪みが形成されるように一部が重なり合ってなる押圧具。
【請求項２】
前記窪みの幅は、０．５ｃｍ〜１．５ｃｍである請求項１に記載の押圧具。
【請求項３】
前記少なくとも一対の球体の硬度は、３０Ｎ〜９０Ｎである請求項１又は２に記載の押圧具。
【考案の詳細な説明】
【技術分野】
【０００１】
本考案は、人体各部の筋肉の凝りをほぐす押圧具に関する。
【背景技術】
【０００２】
従来の押圧具として、例えば、特許文献１に記載のようなものが知られている。この押圧具は、前後方向に回動可能で、且つ、回動可能方向に直交する周胴に添って湾曲部を設けると共に、湾曲部の両縁部に添って押圧部を設けるというものである。
【先行技術文献】
【特許文献】
【０００３】
【特許文献１】特開２００４−１６０１１１号公報
【考案の概要】
【考案が解決しようとする課題】
【０００４】
しかしながら、上記のような押圧具は、押圧部同士が接することによって湾曲部が形成されているため、この湾曲部内に人体各部の筋肉を入れても、筋肉の細部まで凝りをほぐすことができず、もって、ストレッチ効果が低いという問題があった。
【０００５】
そこで、本考案は、上記問題に鑑み、人体各部の筋肉の細部まで凝りをほぐし、もって、ストレッチ効果を向上させることができる押圧具を提供することを目的としている。
【課題を解決するための手段】
【０００６】
上記本考案の目的は、以下の手段によって達成される。なお、括弧内は、後述する実施形態の参照符号を付したものであるが、本考案はこれに限定されるものではない。
【０００７】
請求項１の考案に係る押圧具は、少なくとも一対の球体（１０）を有し、
前記少なくとも一対の球体（１０）同士は、窪み（１０ａ）が形成されるように一部が重なり合ってなることを特徴としている。
【０００８】
また、請求項２の考案は、上記請求項１に記載の押圧具において、前記窪み（１０ａ）の幅（Ｈ）は、０．５ｃｍ〜１．５ｃｍであることを特徴としている。
【０００９】
さらに、請求項３の考案は、上記請求項１又は２に記載の押圧具において、前記少なくとも一対の球体（１０）の硬度は、３０Ｎ〜９０Ｎであることを特徴としている。
【考案の効果】
【００１０】
次に、本考案の効果について、図面の参照符号を付して説明する。なお、括弧内は、後述する実施形態の参照符号を付したものであるが、本考案はこれに限定されるものではない。
【００１１】
請求項１の考案によれば、少なくとも一対の球体（１０）同士が、窪み（１０ａ）が形成されるように一部が重なり合っているため、図３（ａ）に示すように、例えば、腕（Ｕ）の筋肉の凝りをほぐそうとすると、その筋肉の細部が図３（ｂ）に示すように、窪み（１０ａ）によってほぐされることとなる。これにより、人体各部の筋肉の細部まで凝りをほぐすことができ、もって、ストレッチ効果を向上させることができる。
【００１２】
また、請求項２の考案によれば、窪み（１０ａ）の幅（Ｈ）を０．５ｃｍ〜１．５ｃｍにすることにより、人体各部の筋肉の細部まで凝りをほぐすことができ、もって、ストレッチ効果を向上させることができる。
【００１３】
さらに、請求項３の考案によれば、少なくとも一対の球体（１０）の硬度を３０Ｎ〜９０Ｎにすることにより、人体各部の筋肉の細部まで凝りをほぐすことができ、もって、ストレッチ効果を向上させることができる。
【図面の簡単な説明】
【００１４】
【図１】本考案の一実施形態に係る押圧具の斜視図である。
【図２】同実施形態に係る押圧具の正面図である。
【図３】（ａ）は同実施形態に係る押圧具を使用している状態を示す斜視図、（ｂ）は同実施形態に係る押圧具を使用している状態を示す正面図である。
【考案を実施するための形態】
【００１５】
以下に、本考案に係る押圧具の一実施形態について、図１〜図３を参照して具体的に説明する。なお、以下の説明において、上下左右の方向を示す場合は、図示正面から見た場合の上下左右をいうものとする。
【００１６】
図１及び図２に示すように、押圧具１は、一対の球体１０を備えている。この球体１０は、ゴム又は、ウレタン等で形成され、直径約６ｃｍの中空状の球状に形成されている。そして、このような球体１０は、図２に示すように、一対の球体１０同士が一部重なり合って形成されている（図示では球体１０の端部同士が重なり合っている）。これにより、一対の球体１０の中央部に、窪み１０ａが形成されることとなる。この窪み１０ａの幅Ｈ（図２参照）は、０．５ｃｍ〜１．５ｃｍが好ましい。０．５ｃｍより幅を狭くすると、図３（ａ）に示すように、例えば、腕Ｕの筋肉を、押圧具１を用いてほぐす際、図３（ｂ）に示すように、腕Ｕの筋肉の凝りが窪み１０ａによって細部までほぐされることとなるが、その際、その窪み１０ａに応力がかかり過ぎ、もって、押圧具１が破損してしまう可能性があるためである。一方、１．５ｃｍより幅を広くすると、窪み１０ａが形成されず、筋肉の細部まで凝りをほぐすことができず、もって、ストレッチ効果を向上させることができないためである。それゆえ、人体各部の筋肉の細部まで凝りをほぐし、ストレッチ効果を向上させるには、窪み１０ａの幅Ｈ（図２参照）は、０．５ｃｍ〜１．５ｃｍが好ましい。
【００１７】
他方、一対の球体１０は、金型を用いて一体成型されており、当該一対の球体１０の右側面には、金型を用いて一体成型する際用いられる空気孔１０ｂが形成されている。なお、この空気孔１０ｂはどこに形成しても良いが、人体各部の筋肉の凝りをほぐす際、図３（特に図３（ａ）参照）に示すように、一対の球体１０の表面を用いて人体各部の筋肉の凝りをほぐすため、その邪魔とならないような位置、すなわち、一側面に形成した方が好ましい。
【００１８】
また、一対の球体１０の表面は、図３に示すように、直接人体の肌に触れる部分であるため、滑らかな加工が施されている。
【００１９】
またさらに、一対の球体１０の硬度は、３０Ｎ〜９０Ｎが好ましい。この理由を以下に示す実施例を参照して説明する。
【実施例】
【００２０】
押圧具１として、ウレタンからなる直径６ｃｍの球体１０同士を重ね合わせ幅１．０ｃｍからなる窪み１０ａを形成したものを作製した。そして、硬度２５Ｎ，３０Ｎ，５０Ｎ，９０Ｎ，９５Ｎのものをそれぞれ作製した。硬度２５Ｎのものが比較例１で、硬度３０Ｎのものが実施例１で、硬度５０Ｎのものが実施例２で、硬度９０Ｎのものが実施例３で、硬度９５Ｎのものが比較例２である。
【００２１】
このような実施例１〜３並びに比較例１〜２を男女計７人にそれぞれ、頭部、頸椎部、肩関節、肩甲骨、胸部、上腕、前腕、胸椎部、腰椎部、骨盤周囲、大腿部前面、大腿部後面、下腿部、足部の各部に使用してもらいストレッチ効果があったかどうかを聞いた。その結果を表１に示す。
【００２２】
【表１】
0003225744.tif 000003
【００２３】
表１に示す数字「１」は、体重８５Ｋｇ，年齢３７歳の男性を示し、数字「２」は、体重５５Ｋｇ，年齢４１歳の女性を示し、数字「３」は、体重６８Ｋｇ，年齢６９歳の男性を示し、数字「４」は、体重５８Ｋｇ，年齢６８歳の女性を示し、数字「５」は、体重４２Ｋｇ，年齢６７歳の女性を示し、数字「６」は、体重４５Ｋｇ，年齢５２歳の女性を示し、数字「７」は、体重４５Ｋｇ，年齢４０歳の女性を示す。そして、「○」は、十分なストレッチ効果があったことを示し、「△」は、ストレッチ効果があったことを示し、「×」は、ストレッチ効果がなかったことを示すものである。
【００２４】
かくして、この表１を見ると、男女計７人それぞれ共通してストレッチ効果があったと感じているのは、硬度３０Ｎ，５０Ｎ，９０Ｎで、それ以外の硬度は、使用感にばらつきが生じているのが分かる。それゆえ、人体各部の筋肉の細部まで凝りをほぐし、ストレッチ効果を向上させるには、一対の球体１０の硬度は、３０Ｎ〜９０Ｎが好ましいことが分かる。
【００２５】
しかして、以上説明した本実施形態によれば、一対の球体１０同士が、窪み１０ａが形成されるように一部が重なり合っているため、図３（ａ）に示すように、例えば、腕Ｕの筋肉の凝りをほぐそうとすると、その筋肉の細部が図３（ｂ）に示すように、窪み１０ａによってほぐされることとなる。これにより、人体各部の筋肉の細部まで凝りをほぐすことができ、もって、ストレッチ効果を向上させることができる。
【００２６】
なお、本実施形態においては、一対の球体を重ね合わせる例を示したが、それに限らず、３つ以上の球体を重ね合わせるようにしても良い。
【符号の説明】
【００２７】
１      押圧具
１０      球体
１０ａ    窪み
Ｈ      （窪みの）幅
【図１】
0003225744.tif 000004
【図２】
0003225744.tif 000005
【図３】
0003225744.tif 000006